(57)【特許請求の範囲】
【請求項１】
入力手段と、
表示手段と、
静止画と字幕とを記憶するコンテンツ記憶手段と、
映像と、字幕とからなるコンテンツの連続して表示される２個以上の前記字幕に表示される順序を付けた字幕群と、それらの字幕中の最初の字幕が表示される時刻から、それらの字幕中の最後の字幕が表示される時刻までの間に表示される前記映像から切り出された静止画とを組にして前記コンテンツ記憶手段に記憶させる録画手段と、
前記字幕群及び前記静止画とからなる前記組を識別する識別情報と、前記識別情報に関連づけたしおり情報と、を記憶するしおり情報記憶手段と、
前記しおり情報記憶手段に記憶されたしおり情報に応じた前記組にされて前記コンテンツ記憶手段に記憶された静止画を前記表示手段に表示させ、かつ、その静止画と前記組にされて前記コンテンツ記憶手段に記憶された前記字幕群を前記入力手段の所定の操作に従ってスクロールさせて前記表示手段に表示させる再生手段と
を有することを特徴とする電子機器装置。
【請求項２】
入力手段と、
表示手段と、
静止画と字幕とを記憶するコンテンツ記憶手段と、
フレーム内符号化されたフレームとフレーム間符号化されたフレームとからなる映像と、字幕とからなるコンテンツの連続して表示される２個以上の前記字幕に表示される順序を付けた字幕群と、それらの字幕中の最初の字幕が表示される時刻の直近の過去に表示される前記フレーム内符号化されたフレームである静止画とを組にして前記コンテンツ記憶手段に記憶させる録画手段と、
前記字幕群及び前記静止画とからなる前記組を識別する識別情報と、前記識別情報に関連づけたしおり情報と、を記憶するしおり情報記憶手段と、
前記しおり情報記憶手段に記憶されたしおり情報に応じた前記組にされて前記コンテンツ記憶手段に記憶された静止画を前記表示手段に表示させ、かつ、その静止画と前記組にされて前記コンテンツ記憶手段に記憶された前記字幕群を前記入力手段の所定の操作に従ってスクロールさせて前記表示手段に表示させる再生手段と
を有することを特徴とする電子機器装置。
【請求項３】
入力手段と、
表示手段と、
映像と、字幕とからなるコンテンツの連続して表示される２個以上の前記字幕に表示される順序を付けた字幕群と、それらの字幕中の最初の字幕が表示される時刻から、それらの字幕中の最後の字幕が表示される時刻までの間に表示される前記映像から切り出された静止画とを組にして記憶するコンテンツ記憶手段と、
前記字幕群及び前記静止画とからなる前記組を識別する識別情報と、前記識別情報に関連づけたしおり情報と、を記憶するしおり情報記憶手段と、
前記しおり情報記憶手段に記憶されたしおり情報に応じた前記組にされて前記コンテンツ記憶手段に記憶された静止画を前記表示手段に表示させ、かつ、その静止画と前記組にされて前記コンテンツ記憶手段に記憶された前記字幕群を前記入力手段の所定の操作に従ってスクロールさせて前記表示手段に表示させる再生手段と
を有することを特徴とする電子機器装置。
【発明の詳細な説明】
【技術分野】
【０００１】
本発明は、電子機器装置に係り、特に映像などからなるコンテンツの記憶と再生の処理に関する。
【背景技術】
【０００２】
例えば、テレビ放送された番組のコンテンツであって、映像及び字幕を含むコンテンツを記憶し、再生する処理が知られている。字幕は、番組がドラマである場合、主に登場人物のせりふである。ここで、映像の記憶には、字幕の記憶より大きい記憶容量を必要とする。
【０００３】
例えば、ワンセグメントのデジタルテレビ放送において、映像データ放送の最大ビットレートは、約２０Ｋバイト／秒、音声データ放送の最大ビットレートは、約７Ｋバイト／秒、字幕を含む、データ放送の最大ビットレートは約７Ｋバイト／秒である。送信されるデータ量は、データに依存するものの、このビットレートを比較することによって、映像の記憶に代えて静止画を記憶することによって、コンテンツの記憶に必要な記憶容量は、大きく削減されることが理解される。
【０００４】
そこで、字幕と、その字幕が発生した際の静止画などを記憶することによって、コンテンツの記憶に必要な記憶容量を削減することが知られている。そして、再生時には、字幕と、その字幕が発生した際の静止画を同時に表示する（例えば、特許文献１参照。）。この表示によって、言わば紙芝居に類似した表示がされ、静止画とせりふとの両方を目視することによってコンテンツが理解される。
【特許文献１】特開２００７−６３０８号公報（第１−２頁、図３）
【発明の開示】
【発明が解決しようとする課題】
【０００５】
しかしながら、上述した特許文献１に開示されている方法では、コンテンツの記憶に必要な記憶容量が必ずしも充分に小さくなく、更に、装置は、無用な電力を消費する問題点があった。また、この方法では、再生時に、コンテンツの内容の理解が容易でない問題点があった。
【０００６】
即ち、コンテンツの内容は、主に字幕によって表現される。ところが、字幕が発生する毎に静止画が記憶され、その静止画と、その静止画の直前に表示された静止画との相違が少ないことが少なくない。そのため、装置は、使用者にとって目視の価値が低い静止画の記憶に記憶容量を必要とする。更には、その静止画の記憶及び表示に電力を消費する。この消費電力の問題点は、装置が電池に蓄えられた電力によって動作する携帯型の装置である場合、顕著である。
【０００７】
また、装置の使用者は、表示された静止画と、その静止画の直前に表示された静止画との相違を無意識の内にも探し、その相違が分からないため無用なストレスを感じ、かえってコンテンツの理解が妨げられることがある。
【０００８】
本発明は、上記問題点を解決するためになされたもので、コンテンツを小さい記憶容量で記憶し、記憶されたコンテンツを容易に理解可能に再生する電子機器装置を提供することを目的とする。
【課題を解決するための手段】
【００１０】
本発明の電子機器装置は、入力手段と、表示手段と、静止画と字幕とを記憶するコンテンツ記憶手段と、映像と、字幕とからなるコンテンツの連続して表示される２個以上の前記字幕に表示される順序を付けた字幕群と、それらの字幕中の最初の字幕が表示される時刻から、それらの字幕中の最後の字幕が表示される時刻までの間に表示される前記映像から切り出された静止画とを組にして前記コンテンツ記憶手段に記憶させる録画手段と、前記字幕群及び前記静止画とからなる前記組を識別する識別情報と、前記識別情報に関連づけたしおり情報と、を記憶するしおり情報記憶手段と、前記しおり情報記憶手段に記憶されたしおり情報に応じた前記組にされて前記コンテンツ記憶手段に記憶された静止画を前記表示手段に表示させ、かつ、その静止画と前記組にされて前記コンテンツ記憶手段に記憶された前記字幕群を前記入力手段の所定の操作に従ってスクロールさせて前記表示手段に表示させる再生手段とを有することを特徴とする。
【発明の効果】
【００１１】
本発明によれば、コンテンツを小さい記憶容量で記憶し、記憶されたコンテンツを容易に理解可能に再生する。
【発明を実施するための最良の形態】
【００１２】
以下に、本発明による電子機器装置の実施の形態を、図面を参照して説明する。図１は、本発明の実施形態に係る電子機器装置の正面を示す外観図である。この電子機器装置の正面には、表示部１７と、上下左右の４方向への押下が可能な十字キー１２ａと、表示部１７の左下隅近くに配置された第１のソフトキー１２ｂと、表示部１７の右下隅近くに配置された第２のソフトキー１２ｃとを含む、複数のキーからなる入力装置１２が配置されている。
【００１３】
図２は、本発明の実施形態に係る電子機器装置の構成を示すブロック図である。この電子機器装置は、装置の各部を制御する制御部１１と、入力装置１２と、アンテナ１３−１と、チューナ部１３と、ＤＥＭＵＸ（Demultiplex）部１４と、デコーダ部１５と、字幕処理部１６と、表示部１７と、デコーダ部１５から送信される音声信号から音声を発生させるスピーカ１８と、録画部２１と、コンテンツ記憶部２２と、再生部２３とからなる。
【００１４】
コンテンツ記憶部２２には、コンテンツ２２ａと、付加情報２２ｂとが記憶される。コンテンツ２２ａは、テレビ放送された放送コンテンツの一部であって、字幕情報と、静止画とである。付加情報２２ｂは、コンテンツ２２ａの位置を示す情報であって、コンテンツ２２ａを任意の位置から再生させるために用いられる。
【００１５】
コンテンツ２２ａは、録画部２１によってコンテンツ記憶部２２に記憶され、再生部２３によってコンテンツ記憶部２２から読み出される。付加情報２２ｂは、録画部２１及び／または再生部２３によってコンテンツ記憶部２２に記憶され、再生部２３によってコンテンツ記憶部２２から読み出される。
【００１６】
なお、各処理部の一部または全部は、コンピュータと、そのコンピュータによって利用されるプログラムとから構成されていても良い。そして、制御部１１は、コンピュータと、そのコンピュータによって利用されるプログラムとから構成され、ＯＳ機能を行うとしても良い。
【００１７】
上記のように構成された、本発明の実施形態に係る電子機器装置の各部の動作を、図２を参照して説明する。
【００１８】
入力装置１２は、複数のキースイッチからなり、使用者が操作したキースイッチを識別するコード信号を制御部１１へ通知する。なお、入力装置１２は、リモコンであって、電子機器装置本体と、例えば赤外線によって通信するとしても良い。
【００１９】
チューナ部１３は、制御部１１によって起動され、放送局（図示せず）から送信され、アンテナ１３−１によって受信された高周波信号から制御部１１によって指示されたチャンネル番号のチャンネルの信号を選択する。そして、選択された高周波信号を中間周波数の信号に変換し、変換された信号を復調することによってデジタル放送された放送コンテンツを得る。この放送コンテンツの形式については後述する。
【００２０】
なお、チューナ部１３は、接続部（図示せず）を有し、アンテナ１３−１からの高周波信号を、その接続部に接続されたケーブルを介して受信しても良い。なお、上記ケーブルは、第２のアンテナ（図示せず）に接続されていても良く、また、有線放送装置（図示せず）に接続され、チューナ部１３は、有線放送装置から送信された高周波信号を受信しても良い。
【００２１】
ＤＥＭＵＸ部１４は、チューナ部１３によって得られた放送コンテンツを受信して、その放送コンテンツを映像信号と、音声信号と、字幕信号とに分離する。そして、分離された映像信号及び音声信号をデコーダ部１５に送信する。更に、分離された字幕信号を字幕処理部１６に送信する。
【００２２】
デコーダ部１５は、映像信号及び音声信号を受信して、復号する。そして、復号された映像信号を表示部１７に表示させる。更に、復号された音声信号をスピーカ１８から音声として発生させる。なお、映像信号及び音声信号は、例えば、ＭＰＥＧ−２方式で符号化されて放送局から送信される。また、デコーダ部１５は、各部から要求された際、復号された映像信号を表示部１７に表示させているか否かに係わらず、復号された映像信号または、その映像信号から切り出された静止画を録画部２１へ送信する。
【００２３】
字幕処理部１６は、字幕信号を受信して、復号する。そして、復号された字幕情報を表示部１７に表示させる。なお、デコーダ部１５による表示と、字幕処理部１６による表示とは、表示部１７の表示画面の同じ位置に表示されないように、制御部１１によって制御される。また、字幕処理部１６は、各部から要求された際、復号された字幕情報を表示部１７に表示させているか否かに係わらず、復号された字幕情報を録画部２１へ送信する。
【００２４】
表示部１７は、例えばＬＣＤの表示部であり、制御部１１より起動されることにより、表示動作を開始する。そして、各部の要求に応じて、表示動作を続ける。
【００２５】
録画部２１は、放送コンテンツをコンテンツ記憶部２２に記憶させる処理部であって、制御部１１によって起動され、字幕処理部１６によって送信された字幕情報を受信して、コンテンツ２２ａとしてコンテンツ記憶部２２に記憶させる。また、字幕情報を所定回数受信する度に、デコーダ部１５に要求して、静止画を送信させる。そして、送信された静止画を受信して、コンテンツ２２ａとしてコンテンツ記憶部２２に記憶させる。ここで、字幕情報と、静止画とは、受信の順、または、表示部１７に表示される順を保持して記憶させることによって、所定個数の字幕情報と、１枚の静止画とが順序付けられて記憶される。
【００２６】
再生部２３は、コンテンツ記憶部２２に記憶されたコンテンツ２２ａを再生する処理部であって、制御部１１によって起動され、順序付けられて記憶された所定個数の字幕情報と、１枚の静止画を単位として、コンテンツ２２ａを読み出す。そして、上記読み出されたコンテンツ２２ａを表示部１７に表示させる。
【００２７】
なお、再生部２３は、チューナ部１３や、ＤＥＭＵＸ部１４等と同時に動作することがないように、制御部１１によって制御される。この制御によって、チューナ部１３によって受信された映像信号と、再生部２３によって読み出されたコンテンツ２２ａとが同時に表示部１７に表示されることがない。
【００２８】
上記のように構成された、本発明の実施形態に係る電子機器装置のコンテンツ２２ａをコンテンツ記憶部２２に記憶させ、また、コンテンツ２２ａをコンテンツ記憶部２２から読み出して表示する動作を説明する。
【００２９】
まず、チューナ部１３によって得られ、ＤＥＭＵＸ部１４によって受信される放送コンテンツの構成を説明する。図３は、放送コンテンツの構成の一例を示す。この放送コンテンツは、トランスポートストリーム１３ａである。
【００３０】
そして、このトランスポートストリーム１３ａは、第０のＴＳパケット（Transport Packet）１３ｂ−０と、第１のＴＳパケット１３ｂ−１と、…、第ｉのＴＳパケット１３ｂ−ｉと、…、第ｎのＴＳパケット１３ｂ−ｎとからなる。ここで、ｎは、０以上の自然数であり、ｉは、０以上、かつｎ以下の自然数である。
【００３１】
図４は、第ｉのＴＳパケット１３ｂ−ｉの構成の一例を示す。ここで、ｉは、０以上、かつｎ以下の自然数である。第ｉのＴＳパケット１３ｂ−ｉは、パケット識別子１３ｃと、パケットデータ１３ｄとからなる。パケット識別子１３ｃは、「映像信号」、「音声信号」または「字幕信号」のいずれかの値である。そして、それぞれの場合、パケットデータ１３ｄは、映像信号であるか、音声信号であるか、字幕信号であるかを示す。
【００３２】
映像信号は、符号化された映像フレーム、即ち、放送される映像から所定時間間隔で切り出された静止画が符号化された信号と、その静止画が表示される時刻とを示す信号である。なお、映像信号であるパケットデータ１３ｄは、１つのパケットデータ１３ｄで１枚のフレームに相当する信号であると限るものではない。
【００３３】
パケット識別子１３ｃが「映像信号」であって、連続して放送されるＴＳパケットのパケットデータ１３ｄによって１枚のフレームに相当する信号であることもあり、１つのパケットデータ１３ｄで複数枚のフレームに相当する信号であることもある。これは、例えば、フレームがフレーム内符号化されたか、フレーム間符号化されたかに依存して、１枚のフレームに相当する信号のビット数の変動が大きいためである。
【００３４】
また、音声信号は、符号化された音声フレーム、即ち、所定時間に渡る放送される音声と、その音声が出力される時刻とを示す信号である。パケット識別子１３ｃが「音声信号」であるＴＳパケットのパケットデータ１３ｄは、複数の音声フレームを含むことが多いが、これに限るものではない。
【００３５】
また、字幕信号は、符号化された字幕情報と、その字幕情報の表示が開始される時刻とを示す信号である。ここで、字幕情報には、文字列と、その文字列のフォント情報、例えば、フォントの種類、文字の大きさ、文字の色、その文字列が表示される位置などを含む。なお、字幕情報の表示が終了する時刻は、字幕情報に含まれるとしても良く、また、異なる字幕情報の表示が開始される際に、表示が終了するとしても良い。
【００３６】
ここで、異なる字幕情報に含まれる文字列は、空の文字列（文字数が０の文字列。）であっても良い。この、空の文字列を含む字幕情報を表示することによって、表示されていた字幕情報の表示が終了される。そこで、空の文字列を含む字幕情報は、表示されていた字幕情報の表示の終了を指示する制御信号とみなし、以後の説明では、字幕情報に含めない。
【００３７】
図５は、コンテンツ２２ａの構成の一例を示す。このコンテンツ２２ａは、識別情報２２ｃと、表示データ２２ｄとが関連付けられた組が順序付けられた情報からなる。識別情報２２ｃは、組の識別情報２２ｅと、組内識別情報２２ｆとが関連付けられた情報からなる。
【００３８】
組の識別情報２２ｅは、その組の識別情報２２ｅと関連付けられた表示データ２２ｄの表示の順序を示す自然数であり、同じ組の識別情報２２ｅと関連付けられた表示データ２２ｄは１つの組となり、その組の表示データ２２ｄは同時に表示されることが原則である。そして、組の識別情報２２ｅは、通常、より先に表示される組の表示データ２２ｄに関連付けられてより小さい自然数であり、より後に表示される組の表示データ２２ｄに関連付けられてより大きい自然数である。
【００３９】
組内識別情報２２ｆは、同じ組の識別情報２２ｅと関連付けられた、即ち、同じ組の表示データ２２ｄの表示に際し、上方に表示されるか、下方に表示されるかの表示順を示す自然数である。そして、組内識別情報２２ｆは、より上方に表示される表示データ２２ｄに関連付けられてより小さい自然数であり、より下方に表示される表示データ２２ｄに関連付けられてより大きい自然数である。
【００４０】
なお、上記上方及び下方は、この実施形態では、文字列は横書きによって表示されるので、上方の表示が先に目視される（例えば、読まれる。）としていることに由来している。即ち、より一般的に説明すれば、組内識別情報２２ｆは、より先に目視される表示データ２２ｄに関連付けられてより小さい数であり、例えば、縦書き表示の場合、より右方に表示される表示データ２２ｄに関連付けられてより小さい自然数である。
【００４１】
図５においては、より上に記載された組の識別情報２２ｅはより小さく、より下に記載された組の識別情報２２ｅはより大きい。更に、同じ組の識別情報２２ｅに限れば、より上に記載された組内識別情報２２ｆはより小さく、より下に記載された組内識別情報２２ｆはより大きい。そして、組内識別情報２２ｆは、１〜ｐ＋１の自然数を取る。ここで、ｐは、２以上の自然数である（ｐ≧２）。
【００４２】
表示データ２２ｄは、静止画データまたは字幕情報である。静止画データは、放送された映像フレームが復号されたデータである。字幕情報は、放送された字幕信号が復号された字幕情報である。
【００４３】
そして、表示データ２２ｄは、図５に示すように、「１」なる組の識別情報２２ｅと関連付けられたものに例を取ると、「１」〜「ｐ＋１」なる組内識別情報２２ｆと関連付けられて、それぞれ、第１の静止画データ、第１−１の字幕情報、第１−２の字幕情報、第１−３の字幕情報、…、第１−ｐの字幕情報が記憶されている。
【００４４】
更に、「ｘ」なる組の識別情報２２ｅと関連付けられたものを例に取ると、「１」〜「ｐ＋１」なる組内識別情報２２ｆと関連付けられて、それぞれ、第ｘの静止画データ、第ｘ−１の字幕情報、第ｘ−２の字幕情報、第ｘ−３の字幕情報、…、第ｘ−ｐの字幕情報が記憶されている。ここで、ｘは、１以上の自然数である（１≦ｘ）。
【００４５】
即ち、同じ組の識別情報２２ｅと関連付けられた表示データ２２ｄは、１枚の静止画データと、そのデータに続くｐ個の字幕情報とからなる組であり、この組を構成する表示データ２２ｄは、「１」〜「ｐ＋１」なる組内識別情報２２ｆに関連付けられることによって順序付けられた１枚の静止画及び字幕情報群である。
【００４６】
図５では、組の識別情報２２ｅと、組内識別情報２２ｆと、表示データ２２ｄとが隣り合って記憶され、また、表示データ２２ｄは、表示される順及び表示される位置の順に記憶されるとしたが、これは、理解を容易にするためのものであり、これに限るものではない。
【００４７】
例えば、表示データ２２ｄの記憶には、特に、その中の静止画データの記憶には、識別情報２２ｃに比較して、はるかに大きな記憶容量を必要とすることが多い。そこで、記憶領域の管理の観点から、表示データ２２ｄは、所定の記憶領域の中で、静止画データまたは字幕情報が記憶された位置を示すアドレスであるとしても良い。また、表示データ２２ｄは、表示される順及び表示される位置の順に記憶されず、それらの順がポインターによって示されるとしても良い。
【００４８】
更には、静止画データである表示データ２２ｄと、その表示データ２２ｄと関連付けられた識別情報２２ｃとを第１のコンテンツとしてコンテンツ記憶部２２に記憶させ、字幕情報である表示データ２２ｄと、その表示データ２２ｄと関連付けられた識別情報２２ｃとを第２のコンテンツとしてコンテンツ記憶部２２に記憶させても良い。
【００４９】
このように、コンテンツ２２ａを第１のコンテンツと、第２のコンテンツとに分けて記憶させた場合、これらのコンテンツの双方に識別情報２２ｃが含まれるため、識別情報２２ｃを共通な検索キーとして検索することにより、静止画データが表示される順と、字幕情報が表示される順とのいずれが先で、いずれが後であるかを判断することに支障はない。
【００５０】
更には、表示データ２２ｄが上記説明した順に順序付けられて記憶される場合、識別情報２２ｃは、必ずしも必要ではない。表示データ２２ｄである静止画データまたは字幕情報が、１つの組の識別情報２２ｅに関連付けられていくつずつ記憶されているかが別途記憶されるとしても良い。
【００５１】
図６は、コンテンツ２２ａの構成の別の一例を示す。このコンテンツ２２ａの構成は、図５を参照して説明した構成の一例と比較して、表示データ２２ｄに含まれる静止画データ及び字幕情報が組となる際の、静止画データ及び字幕情報の順に相違がある。そこで、この静止画データ及び字幕情報の組における静止画データ及び字幕情報の順についてのみ説明し、その他は、図５を参照して説明した構成の一例を同じであるため説明を省略する。
【００５２】
図６に示す別の一例では、表示データ２２ｄは、１枚の静止画データと、ｐ個の字幕情報とが組となるが、第ｘの組の中の順は、第ｘ−１の字幕情報、…、第ｘ−ｑの字幕情報、第ｘの静止画データ、第ｘ−（ｑ＋１）の字幕情報、…、第ｘ−ｐの字幕情報との順である。そして、この順に対応して小さい組内識別情報２２ｆから大きい組内識別情報２２ｆへと関連付けられて記憶されている。ここで、ｘは、１以上の自然数であり（１≦ｘ）、ｑは、１以上、かつ、ｐ以下の自然数である（１≦ｑ≦ｐ）。
【００５３】
即ち、図５に示す一例では、上記組は、１枚の静止画と、その静止画に続くｐ個の字幕情報であるが、図６に示す別の一例では、上記組は、ｑ個の字幕情報と、その字幕情報に続く１枚の静止画と、その静止画に続く（ｐ−ｑ）個の字幕情報である。ここで、ｐとｑとが等しい場合（ｐ＝ｑ）、上記組は、ｐ個の字幕情報と、その字幕情報に続く１枚の静止画である。
【００５４】
図６に示す別の一例においても、識別情報２２ｃは、組の識別情報２２ｅと、組内識別情報２２ｆとからなる。そして、組の識別情報２２ｅと、組内識別情報２２ｆとは、図５を参照して説明した一例と同じである。
【００５５】
図７は、付加情報２２ｂの構成の一例を示す。この付加情報２２ｂは、しおり名２２ｇと、組の識別情報２２ｈとが関連付けられた情報からなる。しおり名２２ｇは、装置の使用者によって入力装置１２を介して入力された、または、事前に設定された文字列からなるしおりの名称である。組の識別情報２２ｈは、既に説明したコンテンツ２２ａの組の識別情報２２ｅのいずれかの値である。即ち、組の識別情報２２ｈによって、コンテンツ２２ａの組の１つが特定される。
【００５６】
このような付加情報２２ｂによって、表示データ２２ｄの組としおり名２２ｇとの関連付けが可能となり、表示データ２２ｄの組に関連づけてしおり名２２ｇを記憶させ、また、記憶されたしおり名２２ｇを指定することにより、そのしおり名２２ｇに関連づけられた表示データ２２ｄの組を表示させることができる。
【００５７】
なお、組の識別情報２２ｈは、コンテンツ２２ａの組の識別情報２２ｅ及び組内識別情報２２ｆとが結合されたものであるとしても良い。即ち、組の識別情報２２ｈによって、コンテンツ２２ａの表示データ２２ｄの１つが特定されるとしても良い。
【００５８】
図７では、しおり名２２ｇと、組の識別情報２２ｈとが隣り合って記憶され、また、これらの情報が関連付けられた情報がしおり名２２ｇの文字列のコード順にソートされて連続して記憶されているように図示したが、これは、理解を容易にするためのものであり、これに限るものではない。
【００５９】
次に、ＤＥＭＵＸ部１４により受信された放送コンテンツ、即ち、トランスポートストリーム１３ａをＴＳパケット単位に各部へ送信する動作を説明する。ＤＥＭＵＸ部１４は、第ｉのＴＳパケット１３ｂ−ｉを受信すると、そのパケットに含まれるパケット識別子１３ｃによって送信先を判断する。ここで、ｉは、０以上、かつｎ以下の自然数である。
【００６０】
即ち、そのパケット識別子１３ｃが「映像信号」または「音声信号」である場合、ＤＥＭＵＸ部１４は、第ｉのＴＳパケット１３ｂ−ｉをデコーダ部１５に送信する。一方、そのパケット識別子１３ｃが「字幕信号」である場合、第ｉのＴＳパケット１３ｂ−ｉを字幕処理部１６に送信する。
【００６１】
次に、録画部２１がコンテンツ２２ａを作成し、コンテンツ記憶部２２に記憶させる動作を、第１の動作及び第２の動作の２つを用いて説明する。図８は、録画部２１がコンテンツ２２ａを作成し、記憶させる第１の動作のフローチャートを示す。この第１の動作は、図５を参照して説明した、１枚の静止画データと、そのデータに続くｐ個の字幕情報とが組となった表示データ２２ｄを含むコンテンツ２２ａを作成し、コンテンツ記憶部２２に記憶させる動作である。
【００６２】
録画部２１は、制御部１１の制御に従って、第１の動作を開始し（ステップＳ２１ａ）、録画部２１の内部変数である記憶済みの組の数（既にコンテンツ２２ａとして記憶させた１枚の静止画データと、そのデータに続くｐ個の字幕情報とからなる組の数。）に０を設定し、録画部２１の内部変数である記憶済みの表示データ２２ｄの数（既にコンテンツ２２ａとして記憶させた表示データ２２ｄの数であるが、上記記憶済みの組に含まれる表示データ２２ｄの数を含まない。）に０を設定する（ステップＳ２１ｂ）。
【００６３】
そして、録画部２１は、字幕処理部１６から送信された字幕情報が受信されたか否かを判断する（ステップＳ２１ｃ）。受信されなかった場合、ステップＳ２１ｃの動作を繰り返して、字幕情報が受信されるのを待つ。
【００６４】
一方、字幕情報が受信された場合、録画部２１は、デコーダ部１５に静止画の送信を要求して、この要求に応じて送信された静止画データを受信して、その受信された静止画データを表示データ２２ｄとするコンテンツ２２ａを作成し、コンテンツ記憶部２２に記憶させる（ステップＳ２１ｄ）。
【００６５】
ここで、このコンテンツ２２ａの組の識別情報２２ｅは、記憶済みの組の数に１を加えた値である。この１を加えることは、記憶中の組であることを意味している。また、組内識別情報２２ｆは、記憶済みの表示データ２２ｄの数に１を加えた値である。そして、録画部２１は、記憶済みの表示データ２２ｄの数に１を加える（ステップＳ２１ｅ）。
【００６６】
なお、組の識別情報２２ｅに設定する自然数及び組内識別情報２２ｆに設定する自然数は、以下のコンテンツ２２ａを作成し、記憶させる動作においても同様であり、説明を省略する。
【００６７】
次に、録画部２１は、ステップＳ２１ｃで受信された字幕情報を表示データ２２ｄとするコンテンツ２２ａを作成し、コンテンツ記憶部２２に記憶させる（ステップＳ２１ｆ）。そして、記憶済みの表示データ２２ｄの数に１を加える（ステップＳ２１ｇ）。
【００６８】
続いて、録画部２１は、字幕処理部１６から送信された字幕情報が受信されたか否かを判断し（ステップＳ２１ｈ）。受信されなかった場合、字幕情報が受信されるのを待つ。一方、受信された場合、ステップＳ２１ｈで受信された字幕情報を表示データ２２ｄとするコンテンツ２２ａを作成し、コンテンツ記憶部２２に記憶させる（ステップＳ２１ｉ）。そして、記憶済みの表示データ２２ｄの数に１を加える（ステップＳ２１ｊ）。
【００６９】
ここで、ステップＳ２１ｈの動作は、ステップＳ２１ｃの動作と同じであり、ステップＳ２１ｉの動作は、ステップＳ２１ｆの動作と同じであり、ステップＳ２１ｊの動作は、ステップＳ２１ｇの動作と同じである。
【００７０】
次に、録画部２１は、記憶済みの表示データ２２ｄの数がｐ＋１に等しいか否かを判断する（ステップＳ２１ｋ）。ｐ＋１でない場合（この数は、ｐ＋１を超えることはないので、ｐ＋１未満である場合となる。）、録画部２１は、ステップＳ２１ｈの動作に移り、字幕情報が受信されるのを待つ。
【００７１】
一方、上記数がｐ＋１である場合、録画部２１は、記憶済みの組の数に１を加算し、記憶済みの表示データ２２ｄの数に０を設定する（ステップＳ２１ｍ）。そして、ステップＳ２１ｃの動作に移り、動作を開始した際と同様に、コンテンツ２２ａを記憶する動作に戻る。
【００７２】
上記記憶済みの表示データ２２ｄの数がｐ＋１であることは、１枚の静止画データと、そのデータに続くｐ個の字幕情報とが組となった表示データ２２ｄを含むコンテンツ２２ａの作成及び記憶させる動作を終了したことを意味する。そこで、動作を開始した際の動作に戻ることは、新たに、上記説明した、組となった情報の作成及び記憶させる動作を開始することを意味するものである。
【００７３】
録画部２１は、入力装置１２の所定のキー操作を契機とする制御部１１の制御に従って、任意の動作の際に第１の動作を終了する（図示せず）。動作を終了した際、コンテンツ記憶部２２の最後には、１枚の静止画データと、そのデータに続くｐ個の字幕情報とが組となった表示データ２２ｄを含むコンテンツ２２ａが記憶されるとは限らない。即ち、例えば、１枚の静止画データと、そのデータに続くｐ個未満の字幕情報とが記憶されることがある。しかし、これは、コンテンツ２２ａの再生の支障とはならない。
【００７４】
次に、録画部２１がコンテンツ２２ａを作成し、記憶させる第２の動作を説明する。図９は、録画部２１がコンテンツ２２ａを作成し、記憶させる第２の動作のフローチャートを示す。この第２の動作は、図６を参照して説明した、ｑ個の字幕情報と、その字幕情報に続く１枚の静止画と、その静止画に続く（ｐ−ｑ）個の字幕情報とが順序づけられて組となった表示データ２２ｄを含むコンテンツ２２ａを作成し、コンテンツ記憶部２２に記憶させる動作である（１≦ｑ≦ｐ）。この第２の動作は、上述した第１の動作と類似している。そこで、同じ動作ステップには同じ符号を付して説明を省略する。
【００７５】
録画部２１は、ステップＳ２１ｂの記憶済みの組の数に０を設定し、記憶済みの表示データ２２ｄの数に０を設定する動作の後、ステップＳ２１ｃ〜ステップＳ２１ｇの動作、即ち、静止画データを表示データ２２ｄとするコンテンツ２２ａと、字幕情報を表示データ２２ｄとするコンテンツ２２ａを１つとを作成し、記憶させる動作を行わない。そして、ステップＳ２１ｈ〜ステップＳ２１ｍの動作、即ち、記憶済みの表示データ２２ｄの数がｐ＋１個になるまで、字幕情報を表示データ２２ｄとするコンテンツ２２ａを作成し、記憶させる動作に移る。
【００７６】
そして、録画部２１は、ステップＳ２１ｊの動作と、ステップＳ２１ｋの動作との間で、記憶済みの表示データ２２ｄの数がｑ個であるか否かを判断する（ステップＳ２１ｎ）。そして、ｑ個でない場合、ステップＳ２１ｋの記憶済みの表示データ２２ｄの数がｐ＋１個であるか否かを判断する動作に移る。
【００７７】
一方、上記数がｑ個である場合、録画部２１は、ステップＳ２１ｄの静止画データを表示データ２２ｄとするコンテンツ２２ａを作成し、記憶させる動作と、ステップＳ２１ｅの記憶済みの表示データ２２ｄの数に１を加える動作とを経て、ステップＳ２１ｋの記憶済みの表示データ２２ｄの数がｐ＋１個であるか否かを判断する動作に移る。
【００７８】
なお、この録画部２１の第２の動作は、ｑが０の場合、言い換えると、第１の動作への対応はしていない。しかしながら、ステップＳ２１ｎの記憶済みの表示データ２２ｄの数がｑ個であるか否かを判断する動作と、ステップＳ２１ｄのその数がｑ個である場合、静止画データを表示データ２２ｄとするコンテンツ２２ａを作成し、記憶させる動作と、ステップＳ２１ｅの記憶済みの表示データ２２ｄの数に１を加える動作とを、ステップＳ２１ｈの動作とステップＳ２１ｉの動作の間に行うと変更すれば、ｑが０の場合への対応が可能である。
【００７９】
このような変更後のステップＳ２１ｈ、ステップＳ２１ｄ及びステップＳ２１ｅの動作は、図５を参照して説明した第１の動作のステップＳ２１ｃ〜ステップＳ２１ｅの動作と対応が取れることからも、このような変更によってｑが０の場合への対応が可能であることは明らかである。
【００８０】
なお、録画部２１の第２の動作においては、略全ての字幕情報である表示データ２２ｄを含むコンテンツ２２ａを記憶させる度に、ステップＳ２１ｎの動作、即ち、静止画データを表示データ２２ｄとするコンテンツ２２ａを作成し、記憶するか否かの判断を要する。一方、第１の動作においては、その判断を要しないので、消費電力の削減が可能である。
【００８１】
次に、録画部２１が付加情報２２ｂをコンテンツ記憶部２２に記憶させる動作を説明する。録画部２１は、コンテンツ２２ａを作成し、コンテンツ記憶部２２に記憶させる動作中に、入力装置１２の所定のキー操作が行われると、入力装置１２のキー操作によってしおりの名称を入力させる。または、既に記憶されたしおり名２２ｇの一覧を表示部１７に表示させ、表示されたしおり名２２ｇの中の１つを入力装置１２の所定のキー操作によって選択させる。
【００８２】
更に、録画部２１は、上記所定のキー操作が行われた際に、コンテンツ記憶部２２に記憶させつつあったコンテンツ２２ａの組の識別情報２２ｅを得る。これは、記憶済みの組の数から算出され、例えば、記憶済みの組の数に１を加えた値として得る。
【００８３】
そして、上記入力されたしおりの名称をしおり名２２ｇとし、上記得られた組の識別情報２２ｅを組の識別情報２２ｈとする付加情報２２ｂをコンテンツ記憶部２２に記憶させる。または、上記選択されたしおり名２２ｇに関連付けられた組の識別情報２２ｈを上記得られた組の識別情報２２ｅに変更して、変更された付加情報２２ｂをコンテンツ記憶部２２に更新記憶させる。
【００８４】
なお、組の識別情報２２ｈがコンテンツ２２ａの組の識別情報２２ｅ及び組内識別情報２２ｆとが結合されたものである場合、録画部２１は、上記所定のキー操作が行われた際に、コンテンツ記憶部２２に記憶させつつあったコンテンツ２２ａの組の識別情報２２ｅ及び組内識別情報２２ｆを組の識別情報２２ｈとし、付加情報２２ｂとして記憶させる。
【００８５】
この組内識別情報２２ｆは、既にコンテンツ２２ａとして記憶させた表示データ２２ｄの数から算出され、例えば、既に記憶させた表示データ２２ｄの数に１を加えた値として得る。なお、既に記憶させた表示データ２２ｄの数には、上記記憶済みの組に含まれる表示データ２２ｄの数を除いた数は含まれない。
【００８６】
次に、再生部２３がコンテンツ２２ａを再生する動作を説明する。図１０は、再生部２３がコンテンツ２２ａを再生する動作のフローチャートを示す。再生部２３は、制御部１１の制御に従って再生動作を開始する（ステップＳ２３ａ）。そして、組の識別情報変数に１を設定する（ステップＳ２３ｂ）。
【００８７】
次に、再生部２３は、設定された組の識別情報変数を検索キーに、即ち、設定された組の識別情報変数と、組の識別情報２２ｅとが等しい情報をコンテンツ記憶部２２に記憶されたコンテンツ２２ａから検索することによって、関連付けられた組内識別情報２２ｆと、表示データ２２ｄとを得る（ステップＳ２３ｃ）。そして、得られた表示データ２２ｄを、関連付けられた組内識別情報２２ｆが小さいものを上の位置に、関連付けられた組内識別情報２２ｆが大きいものを下の位置になるように、順序付けて貼り付けることによって仮想画面を作成する（ステップＳ２３ｄ）。
【００８８】
ここで、仮想画面は、例えば、得られた表示データ２２ｄの全てが含まれるビットマップであるが、これに限るものではない。特に、表示データ２２ｄに含まれる字幕情報は、字幕処理部１６によって復号された形式で良い。その形式が所定のマークアップ言語（Markup Language）で記述された形式であれば、そのマークアップ言語による記述で良い。更には、字幕情報に含まれる文字列を取り出し、任意のフォントによる文字列として貼り付けても良い。
【００８９】
なお、字幕処理部１６によって復号された字幕情報は、その字幕が表示部１７に表示される際の表示位置情報を含んでいる場合がある。その場合、再生部２３は、復号された字幕情報に含まれる、少なくとも縦方向の表示位置情報に依存することなく、複数の字幕情報が仮想画面上で重なることのないように順序付けて貼り付ける。
【００９０】
次に、再生部２３は、得られた仮想画面を表示部１７に表示させる（ステップＳ２３ｅ）。ここで、仮想画面は、１枚の静止画と、複数の字幕情報とが貼り付けられているので、全てを縮小することなく表示することができないことが多い。即ち、表示部１７には、デコーダ部１５によって復号された映像と、１つの字幕情報とが表示されるように、放送コンテンツの仕様と、放送コンテンツを受信して表示する電子機器装置の仕様とが定められていることが多い。
【００９１】
そこで、得られた仮想画面を表示部１７に表示させるに際し、再生部２３は、入力装置１２の所定の操作による縦方向のスクロール指示を入力し、その指示に従って、仮想画面の異なる部分をスクロールによって表示させる。
【００９２】
既に説明したように、この実施形態では、文字列は横書きによって表示されることに由来して、仮想画面と表示部１７とを比較すると、仮想画面は、縦方向に長く、表示部１７には、仮想画面の一部が表示される。そこで、入力装置１２の十字キー１２ａの上部の押下によって、表示部１７に仮想画面のより上部を表示するようにスクロールさせ、十字キー１２ａの下部の押下によって、表示部１７に仮想画面のより下部の一部を表示するようにスクロールさせるのが適切である。
【００９３】
スクロールさせる量については、適宜定めることができる。例えば、上記十字キー１２ａの上部、または、下部の押下によっては、少量、例えば、字幕情報に含まれる字幕１行分のスクロールとする。そして、上記十字キー１２ａの右部、または、左部の押下によっては、大量、例えば、表示部１７に一時に表示されている表示量の、それぞれ上部へのスクロール（仮想画面のより下部がスクロール後に表示される。）、または、下部へのスクロール（仮想画面のより上部がスクロール後に表示される。）としても良い。
【００９４】
更に、入力装置１２の所定のキー操作に従って、再生部２３は、組の識別情報を示す情報を入力し、入力されたその情報に従って、組の識別情報変数を設定し（ステップＳ２３ｆ）、ステップＳ２３ｃの、設定された組の識別情報変数と関連付けられて記憶された組内識別情報２２ｆと、表示データ２２ｄとの検索動作に移る。
【００９５】
ここで、組の識別情報を示す情報には、以下のものが含まれる。第１に、次の組の識別情報なる情報である。この情報が入力されると、再生部２３は、ステップＳ２３ｅで表示された仮想画面を作成するためにステップＳ２３ｃで用いられた検索キーである組の識別情報変数に１を加えた値を新たな組の識別情報変数に設定する。
【００９６】
第２に、前の組の識別情報なる情報である。この情報が入力されると、再生部２３は、ステップＳ２３ｅで表示された仮想画面を作成するためにステップＳ２３ｃで用いられた検索キーである組の識別情報変数から１を減じた値を新たな組の識別情報変数に設定する。
【００９７】
第３にしおりの名称である。入力装置１２の所定のキー操作によってしおりの名称が入力されると、再生部２３は、入力されたしおりの名称と、しおり名２２ｇとが等しい付加情報２２ｂをコンテンツ記憶部２２から検索し、その検索で得られた組の識別情報２２ｈを新たな組の識別情報変数に設定する。
【００９８】
または、入力装置１２の所定のキー操作によって、再生部２３は、しおり名２２ｇであって、そのしおり名２２ｇと関連付けられて組の識別情報２２ｈが記憶されている付加情報２２ｂをコンテンツ記憶部２２から検索し、その検索で得られたしおり名２２ｇを表示部１７に一覧表示させる。そして、一覧表示されたしおり名２２ｇの中で、入力装置１２の所定のキー操作によって選択されたしおり名２２ｇと関連付けられて付加情報２２ｂに記憶された組の識別情報２２ｈを新たな組の識別情報変数に設定する。
【００９９】
なお、組の識別情報２２ｈがコンテンツ２２ａの組の識別情報２２ｅ及び組内識別情報２２ｆとが結合されたものである場合、再生部２３は、その組の識別情報２２ｅを新たな組の識別情報変数に設定することに加えて、その組内識別情報２２ｆによって識別される表示データ２２ｄが表示部１７の、例えば、最上部に表示されるようにスクロールさせる。
【０１００】
第４に、次のしおりなる情報である。この情報が入力されると、再生部２３は、付加情報２２ｂに含まれる組の識別情報２２ｈをコンテンツ記憶部２２から検索してソートする。そして、ソートされた組の識別情報２２ｈの中で、ステップＳ２３ｅで表示された仮想画面を作成するためにステップＳ２３ｃで用いられた検索キーである組の識別情報変数より大きく、かつ、その組の識別情報２２ｅとの差が最も小さい組の識別情報２２ｈを得る。そして、得られた組の識別情報２２ｈを新たな組の識別情報変数に設定する。
【０１０１】
第５に、前のしおりなる情報である。この情報が入力されると、再生部２３は、付加情報２２ｂに含まれる組の識別情報２２ｈをコンテンツ記憶部２２から検索してソートする。そして、ソートされた組の識別情報２２ｈの中で、ステップＳ２３ｅで表示された仮想画面を作成するために用いられた検索キーである組の識別情報変数より小さく、かつ、その組の識別情報２２ｅとの差が最も小さい組の識別情報２２ｈを得る。そして、得られた組の識別情報２２ｈを新たな組の識別情報変数に設定する。
【０１０２】
更には、最初から何番目のしおりなる情報、最後から何番目のしおりなる情報、次の次のしおりなる情報、次の何番目のしおりなる情報、前の前のしおりなる情報、または、前の何番目のしおりなる情報などの情報であるが、これらが入力された際の再生部２３の動作は、上記第４の情報及び第５の情報が入力された際の動作説明によって明らかである。
【０１０３】
再生部２３は、入力装置１２の所定のキー操作を契機とする制御部１１の制御に従って、任意の動作ステップの動作中に動作を終了する（図示せず）。
【０１０４】
次に、再生部２３が付加情報２２ｂをコンテンツ記憶部２２に記憶させる動作を説明する。再生部２３は、コンテンツ２２ａを再生中に、入力装置１２の所定のキー操作が行われると、入力装置１２のキー操作によってしおりの名称を入力させる。または、既に記憶されたしおり名２２ｇの一覧を表示部１７に表示させ、表示されたしおり名２２ｇの中の１つを入力装置１２の所定のキー操作によって選択させる。
【０１０５】
そして、再生部２３は、上記入力されたしおりの名称をしおり名２２ｇとし、上記所定のキー操作が行われた際に表示されていた、ステップＳ２３ｅで表示された仮想画面を作成するためにステップＳ２３ｃで用いられた検索キーである組の識別情報変数を組の識別情報２２ｈとする付加情報２２ｂをコンテンツ記憶部２２に記憶させる。または、選択されたしおり名２２ｇと、上記検索キーである組の識別情報変数を組の識別情報２２ｈとする付加情報２２ｂをコンテンツ記憶部２２に更新記憶させる。
【０１０６】
また、再生部２３は、再生部２３が動作を終了する際、上記所定のキー操作が行われたとみなし、付加情報２２ｂをコンテンツ記憶部２２に記憶させるとしても良い。この場合、記憶された付加情報２２ｂは、再生部２３に、再生部２３が動作を終了した際に表示させていたコンテンツ２２ａの続きを再生させるために用いられる。
【０１０７】
そのため、しおり名２２ｇは、入力装置１２のキー操作によらず、所定の名称、例えば、「続き」とする。または、付加情報２２ｂには、１組のしおり名２２ｇと、組の識別情報２２ｈとが記憶されるとしても良い。これによって、簡単な操作によってコンテンツ２２ａの続きを再生させることができる。
【０１０８】
なお、組の識別情報２２ｈがコンテンツ２２ａの組の識別情報２２ｅ及び組内識別情報２２ｆとが結合されたものである場合、再生部２３は、上記所定のキー操作が行われた際に表示されていた、仮想画面を作成するための検索の際の検索キーである組の識別情報変数と、その際に表示部１７に表示されていた表示データ２２ｄに関連付けられてコンテンツ２２ａとして記憶されている組内識別情報２２ｆとを組の識別情報２２ｈとし、付加情報２２ｂとして記憶させる。なお、表示部１７に表示されていた表示データ２２ｄは、多くの場合、複数であるが、その中の例えば、最上部に表示されていた表示データ２２ｄに関連付けられた組内識別情報２２ｆを用いる。
【０１０９】
ここで、仮想画面と、その仮想画面が表示部１７に表示される状況、更には、組の識別情報を示す情報の入力操作を、例を用いて説明する。図１１は、再生部２３によって、図５に示すコンテンツ２２ａから組の識別情報２２ｅが「１」に等しいことを条件に、ステップＳ２３ｃの動作によって検索された組内識別情報２２ｆと、表示データ２２ｄとに基づいて、ステップＳ２３ｄの動作によって作成された仮想画面の例を示す。なお、ここで、ｐは、８であるとしている（ｐ＝８）。
【０１１０】
この仮想画面３１は、最上部に、２名の人物の画像である第１の静止画データ３１ａが貼り付けられ、そしてその第１の静止画データ３１ａから下方へ、順次、「おはよう」なる第１−１の字幕情報３１ｂと、「おはよう」なる第１−２の字幕情報３１ｃと、「昨夜は何していた？」なる第１−３の字幕情報３１ｄと、「読書をしていた」なる第１−４の字幕情報３１ｅと、「何の本を読んでいたの？」なる第１−５の字幕情報３１ｆと、「ＸＸＸって本」なる第１−６の字幕情報３１ｇと、「それ面白いの？」なる第１−７の字幕情報３１ｈと、「面白いよ」なる第１−８の字幕情報３１ｉとが貼り付けられている。
【０１１１】
ここで、第１−５の字幕情報３１ｆは、２行に渡って表示されている。これは、表示データ２２ｄに記憶された第１−５の字幕情報は、２行に渡る旨を示す情報であるからであるが、これに限るものではない。例えば、再生部２３は、仮想画面３１の作成に際し、仮想画面３１の横幅を表示部１７の横幅と等しくするため、改行が補われたとしても良い。
【０１１２】
また、第１−１の字幕情報３１ｂと、第１−３の字幕情報３１ｄと、第１−５の字幕情報３１ｆと、第１−７の字幕情報３１ｈとは、仮想画面３１の略左端から開始され、左から右へ表示されている。一方、第１−２の字幕情報３１ｃと、第１−４の字幕情報３１ｅと、第１−６の字幕情報３１ｇと、第１−８の字幕情報３１ｉとは、仮想画面３１の略左端から略１文字大の空白を開けて左から右へ表示されている。
【０１１３】
この、字幕情報の表示位置が左右の２種類に分けられる理由は、表示データ２２ｄに記憶されたそれぞれの字幕情報に基づいて表示位置が決定されたためである。この表示位置が２種類である表示によって、仮想画面３１の略左端から開始され、左から右へ表示されている字幕情報は、第１の静止画データ３１ａに表示された２名の人物の中で、左に表示された人物の発言であると判断される。一方、仮想画面３１の略左端から略１文字大の空白を開けて左から右へ表示されている字幕情報は、第１の静止画データ３１ａに表示された２名の人物の中で、右に表示された人物の発言であると判断される。
【０１１４】
図１２は、上記説明した仮想画面３１が、ステップＳ２３ｅの動作によって表示部１７に表示された一例を示す。表示部１７の右端部には、縦長のスクロールバー１７ａが表示され、表示部１７の左下端部には、第１の機能表示１７ｂが表示され、表示部１７の右下端部には、第２の機能表示１７ｃが表示されている。
【０１１５】
そして、表示部１７で、上記の表示がされない中央部から左上端部には、仮想画面３１の上部、即ち、２名の人物の画像である第１の静止画データ３１ａと、「おはよう」なる第１−１の字幕情報３１ｂと、「おはよう」なる第１−２の字幕情報３１ｃと、「昨夜は何していた？」なる第１−３の字幕情報３１ｄとが表示されている。
【０１１６】
ここで、縦長のスクロールバー１７ａの上部が所定の色で表示されることによって、表示部１７には、仮想画面３１の上部が表示されていることが示されている。また、第１の機能表示１７ｂとして「前」が表示されることによって、第１の機能表示１７ｂの直近に配置されたキーである第１のソフトキー１２ｂが操作されると、再生部２３のステップＳ２３ｆの動作にあたり、前の組の識別情報なる情報が入力されることが示されている。
【０１１７】
なお、図１２で表示されている仮想画面３１は、再生部２３のステップＳ２３ｃの動作によって、組の識別情報２２ｅが「１」に等しいことを検索キーにコンテンツ２２ａから検索された情報によって作成されたのである。即ち、この仮想画面３１は、最初に作成され、記憶された組の識別情報２２ｅに関連付けられた情報により作成されており、前の組の識別情報なる情報が入力されても、その入力された情報に対応する仮想画面は表示されない。そのため、第１の機能表示１７ｂとして「前」が表示されないとしても良いが、ここでは、簡明な説明のため、表示されるとした。
【０１１８】
また、表示部１７の右下端部には、第２の機能表示１７ｃとして「次」が表示されていることによって、第２の機能表示１７ｃの直近に配置されたキーである第２のソフトキー１２ｃが操作されると、再生部２３のステップＳ２３ｆの動作にあたり、次の組の識別情報なる情報が入力されることが示されている。
【０１１９】
即ち、図１２で表示されている仮想画面３１は、再生部２３のステップＳ２３ｃの動作によって、組の識別情報２２ｅが「１」に等しいことを条件にコンテンツ２２ａから検索された情報によって作成されたのであるから、第２のソフトキー１２ｃが操作されると、組の識別情報２２ｅが「２」に等しいことを条件にコンテンツ２２ａから検索された情報によって作成された仮想画面が表示される。
【０１２０】
図１３は、上記説明した仮想画面３１が、ステップＳ２３ｅの動作によって表示部１７に表示された別の一例を示す。即ち、図１３は、図１２に示すように仮想画面３１が表示部１７に表示されている際、十字キー１２ａの所定の方向の操作によって、表示部１７に表示される仮想画面３１がスクロールされた例を示す。
【０１２１】
スクロールの結果、表示部１７には、仮想画面３１の下部に含まれる、「おはよう」なる第１−１の字幕情報３１ｂと、「おはよう」なる第１−２の字幕情報３１ｃと、「昨夜は何していた？」なる第１−３の字幕情報３１ｄと、「読書をしていた」なる第１−４の字幕情報３１ｅと、「何の本を読んでいたの？」なる第１−５の字幕情報３１ｆと、「ＸＸＸって本」なる第１−６の字幕情報３１ｇと、「それ面白いの？」なる第１−７の字幕情報３１ｈと、「面白いよ」なる第１−８の字幕情報３１ｉとが表示されている。
【０１２２】
スクロールが行われたことに従い、スクロールバー１７ａの下部が所定の色で表示されることによって、表示部１７には、仮想画面３１の下部が表示されていることが示されている。
【０１２３】
図１４及び図１５は、図１２及び図１３を参照して説明した、仮想画面３１が表示部１７に表示され、そして、その表示がスクロールされた際の表示であって、別の一例を示す。即ち、図１４は、仮想画面３１が、ステップＳ２３ｅの動作によって表示部１７に表示された別の一例を示す。この表示は、図１２を参照して説明した一例と比較して、スクロールバー１７ａが字幕情報が表示された部分の右隅、即ち、表示部１７の右隅の下部に、短く表示されている点が相違している。その他の部分の表示は、図１２に示す表示と同じであり説明を省略する。
【０１２４】
図１５は、図１４に示すように仮想画面３１が表示部１７に表示されている際、十字キー１２ａの所定の方向の操作によって、表示部１７に表示される仮想画面３１がスクロールされた例を示す。
【０１２５】
スクロールの結果、表示部１７には、２名の人物の画像である第１の静止画データ３１ａがスクロール前と同様に表示されている。そして、字幕情報がスクロールされ、「ＸＸＸって本」なる第１−６の字幕情報３１ｇと、「それ面白いの？」なる第１−７の字幕情報３１ｈと、「面白いよ」なる第１−８の字幕情報３１ｉとが表示されている。その他の部分の表示は、図１３に示す表示と同じであり説明を省略する。
【０１２６】
即ち、この図１４及び図１５を参照して説明した仮想画面３１が表示部１７に表示された表示、そして、その表示がスクロールされた際の表示においては、第１の静止画データ３１ａはスクロールされず、字幕情報がスクロールされる。この第１の静止画データ３１ａはスクロールに係らず表示され続ける動作により、装置の使用者は、スクロールに依存せず、常に第１の静止画データ３１ａを視認でき、コンテンツ２２ａの作成に用いられた放送番組の内容を静止画によって具体的なイメージを伴って楽しむことができる。
【０１２７】
一方、図１２及び図１３を参照して説明した仮想画面３１が表示部１７に表示された表示においては、スクロールに従って、第１の静止画データ３１ａが表示されないことがある。そのため、装置の使用者は、一時に多くの字幕情報を視認することができ、戯曲を読むように、字幕からコンテンツ２２ａの作成に用いられた放送番組の内容を思い描きつつ、楽しむことができる。また、スクロール操作なしに多くの字幕を読むことができ、速読が可能である。更には、字幕を次々とスクロールすることによって、速くコンテンツ２２ａの再生を進めることができる。
【０１２８】
図１６は、仮想画面３１の別の一例を示す。即ち、この仮想画面３１は、図６に示すコンテンツ２２ａから組の識別情報２２ｅが「１」に等しいことを検索キーに、ステップＳ２３ｃの動作によって検索された組内識別情報２２ｆと、表示データ２２ｄとに基づいて、ステップＳ２３ｄの動作によって作成された仮想画面３１の例を示す。なお、ここで、ｐは８、ｑは４であるとしている（ｐ＝８、ｑ＝４）。
【０１２９】
既に説明したように、図５に示すコンテンツ２２ａと、図６に示すコンテンツ２２ａと比較すると、同じ組の識別情報２２ｅに関連付けられる表示データ２２ｄは略同じであり、相違は、表示データ２２ｄと関連付けられる組内識別情報２２ｆにある。即ち、図１６に示す仮想画面３１と、図１１に示す仮想画面３１との相違は、それらに含まれる静止画データ及び字幕情報が貼り付けられた位置、即ち、いずれが上に、いずれが下に貼り付けられているかにある。
【０１３０】
具体的には、図１６に示す仮想画面３１は、最上部から下部へ向かい、順次、「おはよう」なる第１−１の字幕情報３１ｂと、「おはよう」なる第１−２の字幕情報３１ｃと、「昨夜は何していた？」なる第１−３の字幕情報３１ｄと、「読書をしていた」なる第１−４の字幕情報３１ｅと、２名の人物の画像である第１の静止画データ３１ａと、「何の本を読んでいたの？」なる第１−５の字幕情報３１ｆと、「ＸＸＸって本」なる第１−６の字幕情報３１ｇと、「それ面白いの？」なる第１−７の字幕情報３１ｈと、「面白いよ」なる第１−８の字幕情報３１ｉとが貼り付けられている。
【０１３１】
図１６に示す仮想画面３１が表示部１７に表示される一例は、図１２及び図１３を参照して説明した通りであり、スクロールにあっては、静止画及び字幕の表示をスクロールすることによって、小説を読むイメージでコンテンツ２２ａの再生を進めることができる。即ち、再生部２３の動作の開始によって、字幕が表示され、使用者は、スクロールしつつ字幕を読み続けると静止画が表示され、さらにスクロールを続けると、再度字幕が表示されるので、例えば、新聞に掲載される連続小説を読むように、コンテンツ２２ａの作成に用いられた番組を楽しむことができる。
【０１３２】
一方、図１４及び図１５を参照して説明した、字幕の表示のみをスクロールし、静止画を常に表示させる方法によれば、例えば、常に表示部１７の中央部に静止画が表示され、その静止画の上部及び下部に表示された字幕がスクロールすることになり、絵本を読むイメージで、常に表示部１７の中央部に表示された静止画を視認しつつコンテンツ２２ａの再生を進めることができる。
【０１３３】
以上の例を用いた仮想画面と、その仮想画面の一部が表示部１７に表示される状況の説明では、組の識別情報２２ｅの１つの値に関連付けられて、１枚の静止画と、８個の字幕情報とがコンテンツ２２ａに記憶されるとした。また、図６に示すコンテンツ２２ａにおいて、組の識別情報２２ｅの１つの値に関連付けられて、４個の字幕情報、１枚の静止画、４個の字幕情報とがこの順で記憶されるとしたが（ｐ＝８、ｑ＝４）、これらに限るものではない。
【０１３４】
組の識別情報２２ｅの１つの値に関連付けられてコンテンツ２２ａに記憶される字幕情報の数（ｐ）を大きくすると、その数に略反比例して、コンテンツ２２ａの記憶に要する記憶容量は減少する効果が得られる。なぜなら、１つの字幕情報の記憶に要する記憶容量は、１枚の静止画の記憶に要する記憶容量に比較して、小さいからである。
【０１３５】
コンテンツ２２ａに含まれる静止画の数が少ないことは、コンテンツ２２ａの作成に用いられた番組の理解の支障にはならない。例えば、戯曲には、何ら挿絵が挿入されていないことが通例であるが、挿絵なしで理解に支障がないことと同じである。
【０１３６】
そこで、テレビ放送された放送コンテンツの映像を表示部１７に表示させ、そのコンテンツの音声をスピーカ１８から発生させるより、コンテンツ２２ａを再生部２３によって再生させる方が短時間で放送コンテンツの内容を理解することが可能である。また、音声をスピーカ１８から発生させることにより、装置の周囲にいる人々に迷惑を与えることを避けることができる。
【０１３７】
また、組の識別情報２２ｅの１つの値に関連付けられてコンテンツ２２ａに記憶される字幕情報の数（ｐ）は、常に一定と限るものではないことは、録画部２１の動作の終了の際に説明したが、その他の際に、その数が一定である必要はない。その数が一定でないことによって、再生部２３の動作に何ら支障がないことは、上記再生部２３の動作説明によって明らかである。
【０１３８】
なお、所定の長時間に渡って字幕情報が放送されない場合、録画部２１は、組の識別情報２２ｅを新たな値としても良い。即ち、例えば、図８に示す録画部２１の動作のフローチャートで、所定の長時間に渡って字幕情報が放送されない場合、ステップＳ２１ｋの、既に記憶させた字幕情報の個数がｐ＋１でない場合であっても、その個数がｐ＋１であるとみなせば良い。これに伴って、その個数がｐ＋１であるとみなした時刻の前後に放送された放送コンテンツに基づくコンテンツ２２ａは、別の仮想画面となる。
【０１３９】
所定の長時間に渡って字幕情報が放送されないことは、その放送されなかった時間帯の前後に放送された放送コンテンツの内容が異なる、即ち、変化したことを示すことが多い。そこで、上記のように、字幕情報が放送されなかった間の前後に放送された放送コンテンツから作成される仮想画面を異なるものとすることにより、表示される仮想画面の変化が内容の変化を示すことになる。これによって、使用者は、異なる仮想画面を表示させることは、異なる内容の表示を意味を意味することが自然に感じられ、装置の使用が容易と感じる効果が得られる。
【０１４０】
なお、所定の長時間に渡って字幕情報が放送されない場合の別の一例は、コマーシャルの放送の場合である。そこで、本発明の適用によって、上記説明したように、録画部２１が組の識別情報２２ｅを新たな値とするか否かに係わらず、装置は、コマーシャルを録画しない効果が得られる。
【０１４１】
以上の説明では、コンテンツ２２ａは、関連付けられた組の識別情報２２ｅと、組内識別情報２２ｆと、表示データ２２ｄとが関連付けられた情報からなるとしたが、これに限ることはない。例えば、組の識別情報２２ｅと、仮想画面とが関連付けられた情報からなるとしても良い。
【０１４２】
即ち、録画部２１は、図１０を参照して説明した再生部２３の動作の中の、ステップＳ２３ｄの仮想画面を作成する動作を行った上で、組の識別情報２２ｅと、仮想画面とが関連付けられたコンテンツ２２ａをコンテンツ記憶部２２に記憶させる。そして、再生部２３は、ステップＳ２３ｄの仮想画面を作成する動作を要しない。このように構成されたコンテンツ２２ａによれば、コンテンツ２２ａを記憶させる際の動作は増えるものの、記憶されたコンテンツ２２ａを再生する際の動作は減少する。そこで、再生を多くの回数に渡って繰り返す場合、動作の減少に効果がある。
【０１４３】
一方、コンテンツ２２ａを関連付けられた組の識別情報２２ｅと、組内識別情報２２ｆと、表示データ２２ｄとが関連付けられた情報からなる構成とすると、コンテンツ２２ａの編集が容易である。即ち、装置は、コンテンツ編集部（図示せず）を有する構成とし、コンテンツ編集部は、コンテンツ２２ａの表示データ２２ｄに含まれる静止画データ及び字幕情報の追加、削除、変更の編集が容易であり、少ない動作で可能である。
【０１４４】
以上の説明では、録画部２１がコンテンツ２２ａをコンテンツ記憶部２２に記憶させる際、暗黙の内に、デコーダ部１５は、映像を表示部１７に表示させ、音声をスピーカ１８から出力させ、また、字幕処理部１６は、字幕を表示部１７に表示させるとしたが、これに限るものではない。制御部１１の制御に従って、これらの表示と出力の一部、または、全部は行われないとしても良い。
【０１４５】
なお、デコーダ部１５は、要求された際、表示させている映像信号を録画部２１へ送信するとしたが、これに限るものではない。要求された際、最も時間的に近い過去に受信されたフレーム内符号化されたフレームを復号した映像信号を録画部２１へ送信しても良い。特に、デコーダ部１５が映像を表示部１７に表示させない場合、このフレーム内符号化されたフレームを復号した映像信号を送信する処理によって、フレーム間符号化されたフレームを復号する処理が不要になり、消費電力の削減が可能となる。
【０１４６】
本発明が適用される電子機器装置は、固定型であることを要しない。携帯型であっても良い。更に、放送を受信し、録画及び再生する以外の機能を有する装置であっても良い。例えば、移動通信装置などの一部として組み込まれた装置であっても良い。また、放送を受信し、コンテンツ２２ａを記憶させる装置であっても良い。更には、コンテンツ２２ａを再生する装置であっても良い。
【０１４７】
また、以上の説明は、本発明をテレビ放送された放送コンテンツの録画及び再生に適用した例を用いて行ったが、本発明は、通信回線を介してストリーム配信されたコンテンツ、また、通信回線を介してダウンロードされたコンテンツ、更には、記憶媒体を介して装置に入力されたコンテンツに適用することが当然に可能である。本発明は以上の構成に限定されるものではなく、種々の変形が可能である。
【図面の簡単な説明】
【０１４８】
【図１】本発明の実施形態に係る電子機器装置の外観図。
【図２】本発明の実施形態に係る電子機器装置の構成を示すブロック図。
【図３】本発明の実施形態に係るＤＥＭＵＸ部によって受信されるトランスポートストリームの構成の一例を示す図。
【図４】本発明の実施形態に係るＤＥＭＵＸ部によって受信される第ｉのＴＳパケットの構成の一例を示す図。
【図５】本発明の実施形態に係るコンテンツの構成の一例を示す図（その１）。
【図６】本発明の実施形態に係るコンテンツの構成の一例を示す図（その２)。
【図７】本発明の実施形態に係る付加情報の構成の一例を示す図。
【図８】本発明の実施形態に係る録画部がコンテンツを記憶させる第１の動作のフローチャート。
【図９】本発明の実施形態に係る録画部がコンテンツを記憶させる第２の動作のフローチャート。
【図１０】本発明の実施形態に係る再生部が記憶されたコンテンツを再生する動作のフローチャート。
【図１１】本発明の実施形態に係る仮想画面の第１の例を示す図。
【図１２】本発明の実施形態に係る仮想画面の第１の例が表示部に表示された例を示す図（その１）。
【図１３】本発明の実施形態に係る仮想画面の第１の例が表示部に表示された例を示す図（その２）。
【図１４】本発明の実施形態に係る仮想画面の第１の例が表示部に表示された例を示す図（その３）。
【図１５】本発明の実施形態に係る仮想画面の第１の例が表示部に表示された例を示す図（その４）。
【図１６】本発明の実施形態に係る仮想画面の第２の例を示す図。
【符号の説明】
【０１４９】
１１  制御部
１２  入力装置
１２ａ  十字キー
１２ｂ  第１のソフトキー
１２ｃ  第２のソフトキー
１３  チューナ部
１４  ＤＥＭＵＸ部
１５  デコーダ部
１６  字幕処理部
１７  表示部
１７ａ  スクロールバー
１７ｂ  第１の機能表示
１７ｃ  第２の機能表示
２１  録画部
２２  コンテンツ記憶部
２２ａ  コンテンツ
２２ｂ  付加情報
２２ｃ  識別情報
２２ｄ  表示データ
２２ｅ  組の識別情報
２２ｆ  組内識別情報
２２ｇ  しおり名
２２ｈ  組の識別情報
２３  再生部
３１  仮想画面
３１ａ  第１の静止画データ
３１ｂ  第１−１の字幕情報
３１ｃ  第１−２の字幕情報
３１ｄ  第１−３の字幕情報
３１ｅ  第１−４の字幕情報
３１ｆ  第１−５の字幕情報
３１ｇ  第１−６の字幕情報
３１ｈ  第１−７の字幕情報
３１ｉ  第１−８の字幕情報
【図１】
0005044431.tif 000002
【図２】
0005044431.tif 000003
【図３】
0005044431.tif 000004
【図４】
0005044431.tif 000005
【図５】
0005044431.tif 000006
【図６】
0005044431.tif 000007
【図７】
0005044431.tif 000008
【図８】
0005044431.tif 000009
【図９】
0005044431.tif 000010
【図１０】
0005044431.tif 000011
【図１１】
0005044431.tif 000012
【図１２】
0005044431.tif 000013
【図１３】
0005044431.tif 000014
【図１４】
0005044431.tif 000015
【図１５】
0005044431.tif 000016
【図１６】
0005044431.tif 000017